(57)【要約】  ＳＭＳメッセージ閲覧確認端末装置は、ディスプレイ部、無線回路部、及び制御部を含む。無線回路部は移動通信網との通信チャネルを設定する。制御部はＳＭＳメッセージを無線回路部を通じて発送した後、携帯電話内のメール送信箱に保存し、無線回路部を経由して閲覧確認メッセージが受信される場合、バーチャルマシンを用いてメール送信箱に保存されたＳＭＳメッセージと閲覧確認メッセージとを比較してユーザの認知のためにディスプレイ部に提供する。したがって、携帯電話内に備えられるバーチャルマシンを用いてメール送信箱に保存されたＳＭＳメッセージと、メール受信箱またはバーチャルマシンに格納された受信確認箱に保存された閲覧確認メッセージとを互いに比較して送信側が認知できるように多様な方式により表示することによって、ＳＭＳメッセージの閲覧確認サービスを使用することに便宜性が与えられる。
2010531006.tif 000002
【特許請求の範囲】
【請求項１】
送信側の携帯電話を通じて発送されたＳＭＳメッセージが受信側の携帯電話で閲覧されたか否かを確認するＳＭＳメッセージ閲覧確認方法であって、
ＳＭＳメッセージを発送した後、発送されたＳＭＳメッセージを携帯電話内のメール送信箱に保存するステップと、
閲覧確認サービス加入者にチェックされ、閲覧確認メッセージが受信される場合、受信された閲覧確認メッセージを前記携帯電話の表示ウィンドウに表示し、前記メール送信箱に保存されたＳＭＳメッセージと前記閲覧確認メッセージとを比較するステップと、
前記メール送信箱に一致するＳＭＳメッセージが存在する場合、該当ＳＭＳメッセージを閲覧確認に表示するステップと、
を含むことを特徴とするＳＭＳメッセージ閲覧確認方法。
【請求項２】
送信側の携帯電話を通じて発送されたＳＭＳメッセージが受信側の携帯電話で閲覧されたか否かを確認するＳＭＳメッセージ閲覧確認方法であって、
ＳＭＳメッセージを発送した後、発送されたＳＭＳメッセージを携帯電話内のメール送信箱に保存するステップと、
閲覧確認サービス加入者にチェックされ、閲覧確認メッセージが受信される場合、受信された閲覧確認メッセージを前記携帯電話の表示ウィンドウに表示し、閲覧確認メッセージを携帯電話内のメール受信箱に保存するステップと、
バーチャルマシンを実行させて携帯電話内のメール送信箱に保存されたＳＭＳメッセージと携帯電話内のメール受信箱に保存されたＳＭＳメッセージとを比較するステップと、
前記メール送信箱に一致するＳＭＳメッセージが存在する場合、該当ＳＭＳメッセージを閲覧確認に表示するステップと、
ユーザにより前記閲覧確認メッセージが選択されることによって、該当メッセージの詳細メッセージを表示するステップと、
を含むことを特徴とするＳＭＳメッセージ閲覧確認方法。
【請求項３】
送信側の携帯電話を通じて発送されたＳＭＳメッセージが受信側の携帯電話で閲覧されたか否かを確認するＳＭＳメッセージ閲覧確認方法であって、
ＳＭＳメッセージを発送した後、発送されたＳＭＳメッセージを携帯電話内のメール送信箱に保存するステップと、
閲覧確認サービス加入者にチェックされ、閲覧確認メッセージが受信される場合、受信された閲覧確認メッセージを前記携帯電話の表示ウィンドウに表示し、バーチャルマシンを実行させて閲覧確認メッセージを前記バーチャルマシンの受信確認箱に保存するステップと、
前記バーチャルマシンを通じて携帯電話内のメール送信箱に保存されたＳＭＳメッセージと前記バーチャルマシンの受信確認箱に保存されたＳＭＳメッセージとを比較するステップと、
前記メール送信箱に一致するＳＭＳメッセージが存在する場合、該当ＳＭＳメッセージを閲覧確認に表示するステップと、
ユーザにより前記閲覧確認メッセージが選択されることによって、該当メッセージの詳細メッセージを表示するステップと、
を含むことを特徴とするＳＭＳメッセージ閲覧確認方法。
【請求項４】
送信側の携帯電話を通じて発送されたＳＭＳメッセージが受信側の携帯電話で閲覧されたか否かを確認するＳＭＳメッセージ閲覧確認方法であって、
ＳＭＳメッセージを発送した後、発送されたＳＭＳメッセージを携帯電話内のメール送信箱に保存するステップと、
閲覧確認サービス加入者にチェックされ、閲覧確認メッセージが受信される場合、受信された閲覧確認メッセージを前記携帯電話の表示ウィンドウに表示し、閲覧確認メッセージを受信したか否かを確認する文字を携帯電話内のメール受信箱に保存及び表示するステップと、
ユーザにより受信したか否かの確認メッセージが選択されることによって、バーチャルマシンを実行させて閲覧確認メッセージを前記バーチャルマシンの受信確認箱に保存するステップと、
前記バーチャルマシンを通じて携帯電話内のメール送信箱に保存されたＳＭＳメッセージとバーチャルマシンの受信確認箱に保存されたＳＭＳメッセージとを比較するステップと、
前記メール送信箱に一致するＳＭＳメッセージが存在する場合、該当ＳＭＳメッセージを閲覧確認に表示するステップと、
ユーザにより前記閲覧確認メッセージが選択されることによって、該当メッセージの詳細メッセージを表示するステップと、
を含むことを特徴とするＳＭＳメッセージ閲覧確認方法。
【請求項５】
送信側の携帯電話を通じて発送されたＳＭＳメッセージが受信側の携帯電話で閲覧されたか否かを確認するＳＭＳメッセージ閲覧確認方法であって、
ＳＭＳメッセージを発送した後、発送されたＳＭＳメッセージを携帯電話内のメール送信箱に保存するステップと、
閲覧確認サービス加入者にチェックされ、閲覧確認メッセージが受信される場合、受信された閲覧確認メッセージを前記携帯電話の表示ウィンドウに表示し、閲覧確認メッセージを受信したか否かを確認する文字を携帯電話内のメール受信箱に保存及び表示するステップと、
閲覧確認メッセージをバーチャルマシンの受信確認箱に保存し、前記バーチャルマシンを通じて携帯電話内のメール送信箱に保存されたＳＭＳメッセージとバーチャルマシンの受信確認箱に保存されたＳＭＳメッセージとを比較するステップと、
前記メール送信箱に一致するＳＭＳメッセージが存在する場合、ユーザによる受信したか否かの確認のためのプログラムを選択したか否かをチェックするステップと、
前記受信したか否かの確認のためのプログラムが選択されれば、前記バーチャルマシンの受信確認箱リストを表示し、特定のメッセージを選択したか否かをチェックするステップと、
前記特定のメッセージが選択される場合、該当メッセージの詳細メッセージを表示するステップと、
を含むことを特徴とするＳＭＳメッセージ閲覧確認方法。
【請求項６】
送信側の携帯電話を通じて発送されたＳＭＳメッセージが受信側の携帯電話で閲覧されたか否かを確認するＳＭＳメッセージ閲覧確認方法であって、
ＳＭＳメッセージを発送した後、発送されたＳＭＳメッセージを携帯電話内のメール送信箱に保存するステップと、
閲覧確認サービス加入者にチェックされ、閲覧確認メッセージが受信される場合、受信された閲覧確認メッセージを前記携帯電話の表示ウィンドウに表示し、バーチャルマシンを実行させて閲覧確認メッセージを前記バーチャルマシンの受信確認箱に保存するステップと、
前記バーチャルマシンの受信確認箱に保存された該当メッセージの詳細メッセージを表示するステップと、
を含むことを特徴とするＳＭＳメッセージ閲覧確認方法。
【請求項７】
前記閲覧確認メッセージは、簡略情報であることを特徴とする請求項１乃至６のうち、いずれか１つに記載のＳＭＳメッセージ閲覧確認方法。
【請求項８】
前記閲覧確認メッセージは、前記発送されたＳＭＳメッセージを含むフル情報であることを特徴とする請求項１乃至６のうち、いずれか１つに記載のＳＭＳメッセージ閲覧確認方法。
【請求項９】
ディスプレイ部と、
移動通信網との通信チャネルを設定する無線回路部と、
ＳＭＳメッセージを前記無線回路部を通じて発送した後、発送されたＳＭＳメッセージを携帯電話内のメール送信箱に保存し、前記無線回路部を経由して閲覧確認メッセージが受信される場合、バーチャルマシンを用いて前記携帯電話内のメール送信箱に保存されたＳＭＳメッセージと前記閲覧確認メッセージとを比較して、ユーザの認知のために前記ディスプレイ部に提供する制御部と、を含み、
前記制御部は、前記閲覧確認メッセージが受信される場合、受信された閲覧確認メッセージを前記ディスプレイ部に表示することを特徴とするＳＭＳメッセージ閲覧確認端末装置。
【請求項１０】
前記閲覧確認メッセージは、簡略情報であることを特徴とする請求項９に記載のＳＭＳメッセージ閲覧確認端末装置。
【請求項１１】
前記閲覧確認メッセージは、前記発送されたＳＭＳメッセージを含むフル情報であることを特徴とする請求項９に記載のＳＭＳメッセージ閲覧確認端末装置。
【発明の詳細な説明】
【技術分野】
【０００１】
本発明は、ＳＭＳメッセージ閲覧確認方法及びこれを遂行するための端末装置に関し、より詳しくは、バーチャルマシン（Virtual Machine；以下、ＶＭ）を用いたＳＭＳメッセージ閲覧確認方法及びこれを遂行するための端末装置に関する。
【背景技術】
【０００２】
一般に、コード分割多重接続（ＣＤＭＡ；Code Division Multiple Access）方式において、短文メッセージサービス（Short Message Service；ＳＭＳ）は固有のデータ転送が可能な性質を用いてシステム及び携帯電話（移動通信端末機）に容易に具現される。
【０００３】
ＳＭＳメッセージは、両方向無線呼出しと同一な機能を持っているので、簡単な文字受信、音声私書箱知らせ、文字転送などが可能で、顧客の要求を受容している。上記ＳＭＳメッセージは、基本的にＩＳ−９５−Ａ上のデータバーストメッセージ（Data Burst Message）を用いてシステムと携帯電話とが送受信するようになり、これのメッセージ長さは一般的に相当に制限的であるので、受信は１５０ｂｙｔｅｓ内外であり、送信は１００ｂｙｔｅｓ位に限定されている。
【０００４】
これを用いたサービスは、メッセージ受信であるＭＴ（Mobile Originated）ＳＭＳ、メッセージを送信できるＭＯ（Mobile Originated）ＳＭＳ、無線呼出しとほぼ同一な放送型情報サービス、そして固有の両方向通信特性を用いた注文型情報サービスに区分できる。勿論、これを拡張して種々の遠隔制御に利用できる。
【０００５】
最近、携帯電話及び携帯フォンの高い普及率と共にＳＭＳメッセージサービスが広く用いられている。上記ＳＭＳサービスは送信側の携帯電話がＳＭＳメッセージを送信すれば、移動通信網を経由して受信側の携帯電話に転送されてなされる。このような過程で送信側が送信したＳＭＳメッセージが正常に移動通信網のＳＭＳサービスを管掌するＳＭＳＣサーバに正常に受付されたことを知らせるだけであり、該当ＳＭＳメッセージは受信側に転送されれば、これでＳＭＳメッセージ転送過程は終了する。
【０００６】
したがって、送信側では受信側のＳＭＳメッセージを確認したかがチェックできないので、送信側と受信側との間には意思伝達に対する正確性が低いという問題点がある。これは、重要なＳＭＳメッセージの場合、送信側に問題が発生できる。
【発明の概要】
【発明が解決しようとする課題】
【０００７】
本発明の技術的課題はこのような従来の問題点を解決するためのものであって、本発明の目的は、送信側が発送したＳＭＳメッセージを受信側が確認したか否かに対する情報を送信側に提供することで、ＳＭＳメッセージユーザに便宜を提供するバーチャルマシンを用いたＳＭＳメッセージ閲覧確認方法を提供することにある。
【０００８】
本発明の他の目的は、前述したバーチャルマシンを用いたＳＭＳメッセージ閲覧確認方法を遂行するための端末装置を提供することにある。
【課題を解決するための手段】
【０００９】
前述した本発明の目的を実現するために、第１実施形態によれば、送信側の携帯電話を通じて発送されたＳＭＳメッセージが受信側の携帯電話で閲覧されたか否かを確認するＳＭＳメッセージ閲覧確認方法は、ＳＭＳメッセージを発送した後、発送されたＳＭＳメッセージを携帯電話内のメール送信箱に保存するステップと、閲覧確認サービス加入者にチェックされ、閲覧確認メッセージが受信される場合、受信された閲覧確認メッセージを上記携帯電話の表示ウィンドウに表示し、上記メール送信箱に保存されたＳＭＳメッセージと上記閲覧確認メッセージとを比較するステップと、上記メール送信箱に一致するＳＭＳメッセージが存在する場合、該当ＳＭＳメッセージを閲覧確認に表示するステップと、を含む。
【００１０】
本実施形態において、上記閲覧確認メッセージは簡略情報を含む。
【００１１】
本実施形態において、上記閲覧確認メッセージは上記発送されたＳＭＳメッセージを含むフル情報を含む。
【００１２】
前述した本発明の目的を実現するために、第２実施形態によれば、送信側の携帯電話を通じて発送されたＳＭＳメッセージが受信側の携帯電話で閲覧されたかを確認するＳＭＳメッセージ閲覧確認方法は、ＳＭＳメッセージを発送した後、発送されたＳＭＳメッセージを携帯電話内のメール送信箱に保存するステップと、閲覧確認サービス加入者にチェックされ、閲覧確認メッセージが受信される場合、受信された閲覧確認メッセージを上記携帯電話の表示ウィンドウに表示し、閲覧確認メッセージを携帯電話内のメール受信箱に保存するステップと、バーチャルマシンを実行させて携帯電話内のメール送信箱に保存されたＳＭＳメッセージと携帯電話内のメール受信箱に保存されたＳＭＳメッセージとを比較するステップと、上記メール送信箱に一致するＳＭＳメッセージが存在する場合、該当ＳＭＳメッセージを閲覧確認に表示するステップと、ユーザにより上記閲覧確認メッセージが選択されることによって、該当メッセージの詳細メッセージを表示するステップと、を含む。
【００１３】
前述した本発明の目的を実現するために、第３実施形態によれば、送信側の携帯電話を通じて発送されたＳＭＳメッセージが受信側の携帯電話で閲覧されたかを確認するＳＭＳメッセージ閲覧確認方法は、ＳＭＳメッセージを発送した後、発送されたＳＭＳメッセージを携帯電話内のメール送信箱に保存するステップと、閲覧確認サービス加入者にチェックされ、閲覧確認メッセージが受信される場合、受信された閲覧確認メッセージを上記携帯電話の表示ウィンドウに表示し、バーチャルマシンを実行させて閲覧確認メッセージを上記バーチャルマシンの受信確認箱に保存するステップと、上記バーチャルマシンを通じて携帯電話内のメール送信箱に保存されたＳＭＳメッセージと上記バーチャルマシンの受信確認箱に保存されたＳＭＳメッセージとを比較するステップと、上記メール送信箱に一致するＳＭＳメッセージが存在する場合、該当ＳＭＳメッセージを閲覧確認に表示するステップと、ユーザにより上記閲覧確認メッセージが選択されることによって、該当メッセージの詳細メッセージを表示するステップと、を含む。
【００１４】
前述した本発明の目的を実現するために、第４実施形態によれば、送信側の携帯電話を通じて発送されたＳＭＳメッセージが受信側の携帯電話で閲覧されたかを確認するＳＭＳメッセージ閲覧確認方法は、ＳＭＳメッセージを発送した後、発送されたＳＭＳメッセージを携帯電話内のメール送信箱に保存するステップと、閲覧確認サービス加入者にチェックされ、閲覧確認メッセージが受信される場合、受信された閲覧確認メッセージを上記携帯電話の表示ウィンドウに表示し、閲覧確認メッセージを受信したか否かを確認する文字を携帯電話内のメール受信箱に保存及び表示するステップと、ユーザにより受信したか否かの確認メッセージが選択されることによって、バーチャルマシンを実行させて閲覧確認メッセージを上記バーチャルマシンの受信確認箱に保存するステップと、上記バーチャルマシンを通じて携帯電話内のメール送信箱に保存されたＳＭＳメッセージとバーチャルマシンの受信確認箱に保存されたＳＭＳメッセージとを比較するステップと、上記メール送信箱に一致するＳＭＳメッセージが存在する場合、該当ＳＭＳメッセージを閲覧確認に表示するステップと、ユーザにより上記閲覧確認メッセージが選択されることによって、該当メッセージの詳細メッセージを表示するステップと、を含む。
【００１５】
前述した本発明の目的を実現するために、第５実施形態によれば、送信側の携帯電話を通じて発送されたＳＭＳメッセージが受信側の携帯電話で閲覧されたかを確認するＳＭＳメッセージ閲覧確認方法は、ＳＭＳメッセージを発送した後、発送されたＳＭＳメッセージを携帯電話内のメール送信箱に保存するステップと、閲覧確認サービス加入者にチェックされ、閲覧確認メッセージが受信される場合、受信された閲覧確認メッセージを上記携帯電話の表示ウィンドウに表示し、閲覧確認メッセージを受信したか否かを確認する文字を携帯電話内のメール受信箱に保存及び表示するステップと、閲覧確認メッセージをバーチャルマシンの受信確認箱に保存し、上記バーチャルマシンを通じて携帯電話内のメール送信箱に保存されたＳＭＳメッセージとバーチャルマシンの受信確認箱に保存されたＳＭＳメッセージとを比較するステップと、上記メール送信箱に一致するＳＭＳメッセージが存在する場合、ユーザが受信したか否かの確認のためのプログラムが選択されたか否かをチェックするステップと、上記受信したか否かの確認のためのプログラムが選択されれば、上記バーチャルマシンの受信確認箱リストを表示し、特定のメッセージを選択したか否かをチェックするステップと、上記特定のメッセージが選択される場合、該当メッセージの詳細メッセージを表示するステップと、を含む。
【００１６】
前述した本発明の目的を実現するために、第６実施形態によれば、送信側の携帯電話を通じて発送されたＳＭＳメッセージが受信側の携帯電話で閲覧されたかを確認するＳＭＳメッセージ閲覧確認方法は、ＳＭＳメッセージを発送した後、発送されたＳＭＳメッセージを携帯電話内のメール送信箱に保存するステップと、閲覧確認サービス加入者にチェックされ、閲覧確認メッセージが受信される場合、受信された閲覧確認メッセージを上記携帯電話の表示ウィンドウに表示し、バーチャルマシンを実行させて閲覧確認メッセージを上記バーチャルマシンの受信確認箱に保存するステップと、上記バーチャルマシンの受信確認箱に保存された該当メッセージの詳細メッセージを表示するステップと、を含む。
【００１７】
前述した本発明の他の目的を実現するために、一実施形態に従うＳＭＳメッセージ閲覧確認端末装置は、ディスプレイ部、無線回路部、及び制御部を含む。上記無線回路部は、移動通信網との通信チャネルを設定する。上記制御部は、ＳＭＳメッセージを上記無線回路部を通じて発送した後、発送されたＳＭＳメッセージを携帯電話内のメール送信箱に保存し、上記無線回路部を経由して閲覧確認メッセージが受信される場合、バーチャルマシンを用いて上記携帯電話内のメール送信箱に保存されたＳＭＳメッセージと上記閲覧確認メッセージとを比較して、ユーザの認知のために上記ディスプレイ部に提供する制御部を含み、上記制御部は上記閲覧確認メッセージが受信される場合、受信された閲覧確認メッセージを上記ディスプレイ部に表示する。
【００１８】
このようなＳＭＳメッセージ閲覧確認方法及びこれを遂行するための端末装置によれば、携帯電話内に備えられるバーチャルマシンを用いてメール送信箱に保存されたＳＭＳメッセージと、メール受信箱またはバーチャルマシンに格納された受信確認箱に保存された閲覧確認メッセージとを互いに比較して、送信側が認知できるように多様な方式により表示することによって、ＳＭＳメッセージの閲覧確認サービスを使用することに便宜性が与えられる。
【発明の効果】
【００１９】
以上、説明したように、本発明に係る移動通信端末装置には、送信側が受信側に送るＳＭＳメッセージに対し、メッセージ確認要請を付加させて送る機能と、受信側が送信側から受けたＳＭＳメッセージを確認する瞬間、送信側に受信されたメッセージを確認したことを知らせるメッセージ確認ＳＭＳメッセージを転送する機能とを搭載する。これによって、ＳＭＳメッセージに対する受信側の実質的な閲覧確認情報を送信側に提供するため、送信側と受信側との間の意思伝達に正確性を期することができる。
【００２０】
また、携帯電話内に備えられるバーチャルマシンを用いてメール送信箱に保存されたＳＭＳメッセージと、メール受信箱またはバーチャルマシンに格納された受信確認箱に保存された閲覧確認メッセージとを互いに比較して、送信側が認知できるように多様な方式、例えば、記号、文字、絵などで表示することによって、ＳＭＳメッセージの閲覧確認サービスを使用することに便宜性が与えられる。
【図面の簡単な説明】
【００２１】
【図１】本発明の実施形態に係るＳＭＳメッセージ閲覧確認サービス機能を遂行するサービスシステムを説明する概念図である。
【図２】本発明に係るＳＭＳメッセージ閲覧確認サービス機能を有する携帯電話を説明するブロック図である。
【図３】ＩＳ−６３７の各レイヤのメッセージ構造を示す図である。
【図４】本発明の第１実施形態に係るＳＭＳメッセージ閲覧確認方法を説明するフローチャートである。特に、携帯電話内のメール送信箱と携帯電話内のメール受信箱との比較による閲覧確認機能を説明する。
【図５】図４に図示されたＳＭＳメッセージ閲覧確認サービスに対応するユーザ画面を説明するイメージである。
【図６】本発明の第２実施形態に係るＳＭＳメッセージ閲覧確認方法を説明するフローチャートである。特に、携帯電話内のメール送信箱とＶＭ内の受信確認箱との比較による閲覧確認機能を説明する。
【図７】本発明の第３実施形態に係るＳＭＳメッセージ閲覧確認方法を説明するフローチャートである。
【図８】図７に図示されたＳＭＳメッセージ閲覧確認サービスに対応するユーザ画面を説明するイメージである。
【図９】本発明の第４実施形態に係るＳＭＳメッセージ閲覧確認方法を説明するフローチャートである。
【図１０】図９に図示されたＳＭＳメッセージ閲覧確認サービスに対応するユーザ画面を説明するイメージである。
【図１１】本発明の第５実施形態に係るＳＭＳメッセージ閲覧確認方法を説明するフローチャートである。
【図１２】図１１に図示されたＳＭＳメッセージ閲覧確認サービスに対応するユーザ画面を説明するイメージである。
【図１３】本発明の第６実施形態に係るＳＭＳメッセージ閲覧確認方法を説明するフローチャートである。
【図１４】図１３に図示されたＳＭＳメッセージ閲覧確認サービスに対応するユーザ画面を説明するイメージである。
【図１５】本発明の第７実施形態に係るＳＭＳメッセージ閲覧確認方法を説明するフローチャートである。
【図１６】図１５に図示されたＳＭＳメッセージ閲覧確認サービスに対応するユーザ画面を説明するイメージである。
【発明を実施するための形態】
【００２２】
以下、添付した図面を参照しつつ本発明をより詳細に説明する。
【００２３】
図１は、本発明の実施形態に係るＳＭＳメッセージ閲覧確認サービス機能を遂行するサービスシステムを説明する概念図である。
【００２４】
図１を参照すれば、本発明の実施形態に係るＳＭＳメッセージ閲覧確認サービスシステムを具現するために、送信側端末装置１００、移動通信網２００、及び受信側端末装置３００が備えられる。本実施形態では、説明の便宜のためにＳＭＳメッセージを最初に発信する側を送信側と定義し、上記送信側がＳＭＳメッセージを発送する行為を送信と定義し、上記ＳＭＳメッセージの提供を受ける側を受信側と定義し、上記受信側がＳＭＳメッセージの提供を受ける行為を受信と定義して説明する。
【００２５】
送信側端末装置１００は、移動通信網２００を経由してメッセージ確認要請ＳＭＳメッセージを受信側端末装置３００に提供し、受信側端末装置３００がメッセージ確認要請ＳＭＳメッセージを受信することによって伝達されるメッセージ確認ＳＭＳメッセージの提供を受けてメール送信箱またはバーチャルマシン（ＶＭ）などに保存されたＳＭＳメッセージを閲覧確認にチェックする。上記メッセージ確認要請ＳＭＳメッセージは、作成されたＳＭＳメッセージに付加されて送信されることが好ましい。
【００２６】
移動通信網２００は、送信側基地局２１０、送信側交換局２２０、ＮＯ．７移動通信網２３０、ＨＬＲ（Home Location Register）サーバ２４０、ＳＭＳＣ（Short Message Service Center）サーバ２５０、受信側交換局２６０、及び受信側基地局２７０を含んで、送信側端末装置１００と受信側端末装置３００との間の通信チャネルを設定する。送信側交換局２２０は、モバイルスイッチングセンター（ＭＳＣ：Mobile Switching Center）、ベースステーションコントローラ（ＢＳＣ：Base Station Controller）、及びベーストランシーバーステーション（ＢＴＳ：Base Transceiver Station）を含む。
【００２７】
ＨＬＲ（Home Location Register）サーバ２４０は、ＳＭＳメッセージ閲覧確認サービスを申請したか否かと受信側端末装置に対する情報（位置情報、受信可能か否か、付加サービス等）を管理する。ＳＭＳＣ（Short Message Service Center）サーバ２５０は、ＳＭＳメッセージを受信側端末装置へ転送し、上記ＳＭＳメッセージ確認に従うメッセージ確認ＳＭＳメッセージが送信側端末装置に提供できるように制御する。
【００２８】
受信側端末装置３００は、移動通信網２００を経由してメッセージ確認要請ＳＭＳメッセージが提供されることによって、これを保存し、保存されたメッセージ確認要請ＳＭＳメッセージが確認されることによって、メッセージ確認ＳＭＳメッセージを送信側端末装置１００に提供する。
【００２９】
本発明に係る送信側端末装置または受信側端末装置は、次のような機能が遂行されるようにプログラミングされたソフトウェアを共通に搭載している。即ち、送信側の携帯電話を通じて発送されたＳＭＳメッセージが受信側の携帯電話で閲覧されたかを確認するＳＭＳメッセージ閲覧確認方法が遂行できるようにプログラミングされたソフトウェアを共通に搭載している。ここで、上記ＳＭＳメッセージにはＳＭＳプッシュメッセージを用いるための＜ＴＩＤ＞値が含まれて、閲覧確認したか否かの確認者識別のために用いられる。
【００３０】
具体的に、上記送信側端末装置にはＳＭＳメッセージを発送した後、発送されたＳＭＳメッセージを携帯電話内のメール送信箱に保存する過程と、閲覧確認サービス加入者にチェックされ、閲覧確認メッセージが受信される場合、上記携帯電話内のメール送信箱に保存されたＳＭＳメッセージとメール受信箱に保存されたＳＭＳメッセージとを比較する過程と、上記メール送信箱に一致するＳＭＳメッセージが存在する場合、該当ＳＭＳメッセージを閲覧確認に表示する過程とを含むプログラムが搭載される。付加的に、前述した比較過程で、上記メール受信箱に一致するＳＭＳメッセージが存在する場合、該当ＳＭＳメッセージを削除する過程が更に含まれて搭載できる。
【００３１】
図２は、本発明に係るＳＭＳメッセージ閲覧確認サービス機能を持つ携帯電話を説明するブロック図である。
【００３２】
図２を参照すれば、ＳＭＳメッセージ閲覧確認サービス機能を持つ携帯電話１００は、制御部１１０、キーパッド１２０、ディスプレイ部１３０、メモリ部１４０、オーディオ処理部１５０、及び無線回路部１６０を含む。
【００３３】
制御部１１０は、キーパッド１２０、ディスプレイ部１３０、メモリ部１４０、オーディオ処理部１５０、及び無線回路部１６０のような構成要素との信号及び／またはデータを受信または送信する過程を通じて携帯電話の全ての機能を統制及び制御する。
【００３４】
制御部１１０は、ＳＭＳメッセージ発送モードの際、ユーザによりメッセージ確認要請ＳＭＳメッセージが作成されることによって、作成されたメッセージ確認要請ＳＭＳメッセージをメール送信箱に保存し、無線回路部１６０を通じて設定された通信チャネルを用いて上記移動通信網に提供するように制御する。一例として、上記メール送信箱は上記メモリ部１４０に格納される。
【００３５】
例えば、制御部１１０は上記受信側から上記メッセージ確認要請ＳＭＳメッセージが受信されることによって、移動通信網を経由して伝達されるメッセージ確認ＳＭＳメッセージと携帯電話に保存された複数のメッセージ確認要請ＳＭＳメッセージとの間の比較により保存された該当メッセージ確認要請ＳＭＳメッセージに閲覧確認にチェックするように制御する。ここで、上記メッセージ確認ＳＭＳメッセージと上記メッセージ確認要請ＳＭＳメッセージとの間の比較は、バーチャルマシン（ＶＭ）を用いてなされる。上記バーチャルマシンは、携帯電話用ＯＳにより駆動される一種のアプリケーションプログラムである。上記比較するリストは、送信者番号、受信者番号、送受信時間など、文字メッセージ上に表示されるものを利用できる。
【００３６】
上記メッセージ確認要請ＳＭＳメッセージは、携帯電話のメール送信箱に保存できる。上記メッセージ確認ＳＭＳメッセージは、携帯電話のメール受信箱または上記バーチャルマシンの受信確認箱に保存できる。
【００３７】
また、制御部１１０は、上記受信側で上記メッセージ確認ＳＭＳメッセージが受信されることによって、受信されたメッセージ確認ＳＭＳメッセージをディスプレイ部１３０に表示する。これによって、ＳＭＳメッセージを発送した送信者側では本人が発送したＳＭＳメッセージが閲覧されたことを確認することができる。ディスプレイ部１３０に表示されるメッセージ確認ＳＭＳメッセージは、上記メッセージ確認ＳＭＳメッセージの簡略情報であることもあり、上記メッセージ確認ＳＭＳメッセージのフル情報であることもある。例えば、上記メッセージ確認ＳＭＳメッセージの簡略情報には受信側の携帯電話の電話番号及び閲覧時間が含まれることができる。上記メッセージ確認ＳＭＳメッセージのフル情報には上記受信側の携帯電話の電話番号及び閲覧時間だけでなく、メッセージの内容などが更に含まれることができる。
【００３８】
制御部１１０は、ＳＭＳメッセージ受信モードの際、上記移動通信網と設定された通信チャネルを用いて送信側から提供されたメッセージ確認要請ＳＭＳメッセージの伝達を受けてメール受信箱に保存及びアラームするように制御する。一例として、上記メール受信箱は上記メモリ部１４０に格納される。
【００３９】
制御部１１０は、ユーザにより保存されたメッセージ確認要請ＳＭＳメッセージが確認されることによって、メッセージ確認ＳＭＳメッセージを上記移動通信網を経由して上記送信側に提供するように制御する。
【００４０】
キーパッド１３０は、制御部１１０にユーザの命令を転送する入力手段であって、機能を実行するようにする機能ボタンと、文字や数字を入力する一般ボタンとを含み、ユーザの指示を制御部１１０へ転送する機能を遂行する。
【００４１】
ディスプレイ部１３０は、制御部１１０の制御に従い、携帯電話の情報を知らせる情報画面、種々の機能を見せるメニュー画面、文字や数字を入力するようにする入力画面、これに従う結果画面などを表示する。したがって、携帯電話ユーザは、これを見てから自分が希望する機能を遂行できるようになる。
【００４２】
メモリ部１４０は、制御部１１０により処理された機能を駆動するプログラム、ユーザの便利性と基本的な各種の機能を具現する所定のプログラムなどを格納する。上記メモリ部１４０は、普通フラッシュメモリ（flash memory）、ＲＡＭ（Random Access Memory）、及びＲＯＭ（Read Only Memory）を含む。
【００４３】
上記フラッシュメモリには、基本的なリアルタイム（real time）処理運営システム（ＯＳ：operating system）と携帯電話の呼処理ソフトウェア（software）とが格納され、これらプログラムの変数及び状態は、上記ＲＡＭから読み込まれて動作させる。上記ＲＯＭは、ＥＥＰＲＯＭ（Electrically Erasable Programmable Read Only Memory）で構成され、電気的に削除または再格納できる不揮発性データが格納され、上記制御部１００の命令に従う入／出力を遂行する。上記ＲＯＭに格納されるデータとしては、削除されず、半永久的に使用できるＮＡＭ（number assignment module）パラメータ（parameter）、その他の格納用データ（電話番号及び名称、文字メッセージ、動画等）などである。
【００４４】
また、上記フラッシュメモリは、処理速度が速くてデータが格納される不揮発性（non-volatile）メモリであって、携帯電話のソフトウェアをアップグレードする場合、アップグレードされたソフトウェアが格納される。特に、上記フラッシュメモリには送信側が受信側に送るメッセージに対し、メッセージ確認要請を加えて送る機能と、受信側が送信側から受けたメッセージを確認する瞬間、送信側に受信されたメッセージを確認したことを知らせるメッセージ確認ＳＭＳメッセージを転送する機能を遂行するプログラムが格納される。
【００４５】
これに加えて、上記メモリ部１４０には、相手方から送信された文字メッセージ、携帯電話がシステムを運営するために必要とするシステム情報などが格納される。例えば、上記メモリ部１４０にはメール送信箱に設定された第１領域とメール受信箱に設定された第２領域とが設定される。上記第１領域には発送されたＳＭＳメッセージが保存され、上記第２領域には他の携帯電話ユーザが発送したＳＭＳメッセージだけでなく、自身が発送したＳＭＳメッセージに対応する閲覧確認メッセージが保存される。前述した閲覧確認メッセージはメモリ容量を考慮する時、ユーザの選択に従い、またはメール送信箱に保存された発送されたＳＭＳメッセージが閲覧確認に表示される場合、自動削除されることが好ましい。
【００４６】
付加的に、バーチャルマシンの受信確認箱に設定された第３領域を更に含むこともできる。上記第３領域には、発送されたＳＭＳメッセージに対応する閲覧確認メッセージが一時的に保存できる。
【００４７】
オーディオ処理部１５０は、携帯電話のユーザがマイクを介して録音するアナログ音声をデジタルデータとして処理して、これを制御部１１０へ転送するか、外部から受信されたデータを処理してスピーカー（ＳＰＫ）を介してアナログ音声を出力する役目を担当する。
【００４８】
無線回路部１６０は、移動通信網と通信チャネルを設定して、外部の電話機が発送する電話通話や文字メッセージ、または音声データをアンテナ（ＡＮＴ）を介して受信し、これを制御部１１０へ転送するか、メモリ部１４０に格納されているデータをアンテナ（ＡＮＴ）を介して送信側の電話機に転送する機能を遂行する。
【００４９】
前述した携帯電話には送信側が受信側に送るＳＭＳメッセージに対し、メッセージ確認要請を加えて送る機能と、受信側が送信側から受けたＳＭＳメッセージを確認する瞬間、送信側に受信されたメッセージを確認したことを知らせるメッセージ確認ＳＭＳメッセージを転送する機能が搭載されるので、送信側と受信測との間の意思伝達に正確性を期することができる。
【００５０】
図２において、制御部１１０は上記受信側から上記メッセージ確認ＳＭＳメッセージが受信されることによって、受信されたメッセージ確認ＳＭＳメッセージをディスプレイ部１３０に表示することが説明された。しかしながら、当業者であれば、上記メッセージ確認ＳＭＳメッセージが受信されることによって、別途の音響通知が遂行されることもできる。
【００５１】
ＳＭＳメッセージ識別のためのレイヤ構造は図３を用いて説明する。
【００５２】
図３は、ＩＳ−６３７の各レイヤのメッセージ構造を図示する。
【００５３】
図３を参照すれば、データバーストメッセージ（または、リンクレイヤ）のＣＨＡＲｉメッセージは、ＳＭＳパラメータがカプセル化されており、これを分析して上位レイヤへ転送する。
【００５４】
リンクレイヤの役目を遂行するＩＳ−９５−Ａのデータバーストメッセージを基盤にリレーレイヤのＵｍインターフェースを経てトランスポートレイヤ（Transport Layer）が設定される。トランスポートレイヤメッセージは音声私書箱または一般メッセージのようなサービス仕分け子のテレサービス識別子（Teleservice Identifier）（Ａ）、送信側電話番号（Originating Address）（Ｂ）、目的地電話番号（Originating Address）（Ｃ）、応答要求があるか否か（Bearer Reply Option）、及び運搬者データ（Bearer Data）を含む。上記運搬者データはテレサービスレイヤ（Teleservice Layer）を形成する。
【００５５】
上記テレサービスレイヤは、メッセージ識別子（Message Identifier）、受信メッセージの内容が入っているユーザデータ（User Data）、該当メッセージに対するメッセージセンターの時間（MC Time Stamp）、優先順位（Priority Indicator）、秘密か否か（Privacy Indicator）、メッセージ到着知らせ（Alerton Delivery）、及び言語仕分け（Language Indicator）で構成されて、応用サービスを提供する。
【００５６】
上記テレサービスレイヤに備えられるメッセージ識別子の型式を定理すれば、下記の＜表１＞の通りである。
【００５７】
【表１】
2010531006.tif 000003
【００５８】
＜表１＞において、SUBPARAMETER_IDは、メッセージ識別子というものを区分することに使われるフィールドである。SUBPARAM_LENは、後続するメッセージの長さを格納するフィールドである。MESSAGE_TYPEは、該当メッセージがデリバリーメッセージ（deliver message）か、サブミットメッセージ（submit message）かなどの５種類を仕分けてくれるフィールドである。MESSAGE_IDは、メッセージを送り出すテレサービスエンドポイント（teleservice end point）でメッセージを区別するためにセッティングさせてくれるフィールドである。
【００５９】
前述した８ｂｉｔ（００００００００）に設定されたSUBPARAMETER_ID値に送信者がメッセージを送る時に識別できる固有の領域をセッティングしてくれることによって、本発明に従うバーチャルマシンを用いたＳＭＳメッセージ閲覧確認サービス機能を遂行できる。
【００６０】
例えば、携帯電話を用いる加入者の場合、バーチャルマシン（ＶＭ）をダウンロードすることによって、SUBPARAMETER_ID値である＜００００００００＞が＜１０００００００＞にセッティングされる。以後には移動通信網で前述したSUBPARAMETER_ID値を識別することによって、本発明に従うバーチャルマシンを用いたＳＭＳメッセージ閲覧確認サービスを処理できる。
【００６１】
図４は、本発明の第１実施形態に係るＳＭＳメッセージ閲覧確認方法を説明するフローチャートである。図５は、図４に図示されたＳＭＳメッセージ閲覧確認サービスに対応するユーザ画面を説明するイメージである。特に、携帯電話内のメール送信箱と携帯電話内のメール受信箱との比較による閲覧確認機能を説明する。
【００６２】
図４及び図５を参照すれば、先にユーザの送信側の携帯電話を通じて作成されたＳＭＳメッセージを移動通信網を経由して受信側の携帯電話に発送する（ステップＳ１００）。
【００６３】
次に、発送されたＳＭＳメッセージを上記送信側の携帯電話に備えられる携帯電話内のメール送信箱に保存する（ステップＳ１０５）。
【００６４】
次に、バーチャルマシン（ＶＭ）を用いた閲覧確認サービス加入者か否かをチェックする（ステップＳ１１０）。
【００６５】
上記ステップＳ１１０で、閲覧確認サービス加入者に未チェックされる場合は終了し、閲覧確認サービス加入者にチェックされる場合は閲覧確認メッセージを受信したか否かをチェックする（ステップＳ１１５）。前述した閲覧確認メッセージは受信側の携帯電話に正常にＳＭＳメッセージが受信されたという情報だけでなく、該当ＳＭＳメッセージが受信側の携帯電話のユーザにより閲覧されたという情報を含む。
【００６６】
閲覧確認メッセージの受信にチェックされる場合、上記携帯電話内のメール送信箱に保存された１つ以上のＳＭＳメッセージと、上記送信側の携帯電話に備えられる携帯電話内のメール受信箱に保存された文字とを比較する（ステップＳ１２０）。ここで、比較するリストは各々のメッセージに格納された文字や数字などを用いてなされることができる。例えば、送信者番号、受信者番号、ＳＭＳメッセージ発送時間、送った内容などが比較できる。
【００６７】
次に、メール受信箱で一致する文字を削除する（ステップＳ１２５）。前述したステップＳ１２５は自動でなされることもでき、ユーザの操作によりなされることもできる。
【００６８】
次に、上記携帯電話内のメール送信箱に保存された一致するＳＭＳメッセージを文字確認、即ち閲覧確認に表示する（ステップＳ１３０）。図４では文字を削除するステップに続いて閲覧確認を表示するステップが遂行されることが説明されたが、閲覧確認を表示するステップに続いて文字を削除するステップが遂行されることもできる。
【００６９】
図４では、ステップＳ１１５で閲覧確認メッセージの受信にチェックされる場合、上記携帯電話内のメール送信箱に保存された１つ以上のＳＭＳメッセージと、上記送信側の携帯電話に備えられる携帯電話内のメール受信箱に保存された文字とを比較するステップＳ１２０が遂行されたが、これに加えて、上記閲覧確認メッセージがユーザ側で直ちに確認できるように携帯電話のディスプレイ部に表示されることもできる。この際、表示される閲覧確認メッセージは受信側の携帯電話の電話番号及び閲覧時間を含む簡略情報場合であることもあり、これに加えて送信したＳＭＳメッセージの内容が更に含まれるフル情報であることもある。
【００７０】
以上、説明したように、本発明の第１実施形態では携帯電話内のメール送信箱に発送されたＳＭＳメッセージが保存されており、該当ＳＭＳメッセージを受信した受信側から提供される閲覧確認メッセージを携帯電話内のメール受信箱に保存する。次に、バーチャルマシンは携帯電話内のメール受信箱に保存された閲覧確認メッセージが携帯電話内のメール送信箱に存在するか否かをチェックする。前述したチェックを通じて該当閲覧確認メッセージが携帯電話内のメール送信箱に存在する場合、携帯電話内のメール送信箱に保存された特定のＳＭＳメッセージを閲覧確認に表示する。
【００７１】
図６は、本発明の第２実施形態に係るＳＭＳメッセージ閲覧確認方法を説明するフローチャートである。特に、携帯電話内のメール送信箱とＶＭ内の受信確認箱との比較による閲覧確認機能を説明する。
【００７２】
図６で説明されたフローチャートは、図４と比較する時、図４で説明されたステップＳ１２０を除外すれば同一であるので、その詳細な説明は省略する。
【００７３】
図６を参照すれば、ステップＳ１１５で閲覧確認メッセージの受信にチェックされる場合、上記携帯電話内のメール送信箱に保存された１つ以上のＳＭＳメッセージと上記送信側の携帯電話のバーチャルマシンに備えられる受信確認箱に保存された文字とを比較した後（ステップＳ２２０）、ステップＳ１２５を遂行する。ここで、比較条件は各々のメッセージに格納された文字や数字を用いてなされることができる。例えば、送信者番号、受信者番号、ＳＭＳメッセージ発送時間、送った内容などが比較できる。図６では、ステップＳ１１５で閲覧確認メッセージの受信にチェックされる場合、上記携帯電話内のメール送信箱に保存された１つ以上のＳＭＳメッセージと上記送信側の携帯電話に備えられる携帯電話内のメール受信箱に保存された文字とを比較するステップＳ２２０が遂行されたが、これに加えて、上記閲覧確認メッセージがユーザ側で直ちに確認できるように携帯電話のディスプレイ部に表示されることもできる。この際、表示される閲覧確認メッセージは受信側の携帯電話の電話番号及び閲覧時間を含む簡略情報であることもあり、これに加えて送信したＳＭＳメッセージの内容が更に含まれるフル情報であることもある。
【００７４】
以上、説明したように、本発明の第２実施形態では携帯電話内のメール送信箱に発送されたＳＭＳメッセージが保存されており、該当ＳＭＳメッセージを受信した受信側から提供される閲覧確認メッセージをバーチャルマシンに備えられる受信確認箱に一時保存する。次に、バーチャルマシンは一時保存された閲覧確認メッセージが携帯電話内のメール送信箱に存在するか否かをチェックする。前述したチェックを通じて該当閲覧確認メッセージが携帯電話内のメール送信箱に存在する場合、携帯電話内のメール送信箱に保存された特定のＳＭＳメッセージを閲覧確認に表示する。
【００７５】
図７は、本発明の第３実施形態に係るＳＭＳメッセージ閲覧確認方法を説明するフローチャートである。図８は、図７に図示されたＳＭＳメッセージ閲覧確認サービスに対応するユーザ画面を説明するイメージである。図８の破線で表示されたブロックはＶＭの受信確認箱を称する。前述したＶＭの受信確認箱はユーザ側に表示されない。
【００７６】
図７及び図８を参照すれば、先にユーザの送信側の携帯電話を通じて作成されたＳＭＳメッセージを移動通信網を経由して受信側の携帯電話に発送する（ステップＳ３００）。
【００７７】
次に、発送されたＳＭＳメッセージを上記送信側の携帯電話に備えられる携帯電話内のメール送信箱に保存する（ステップＳ３０５）。
【００７８】
次に、バーチャルマシン（ＶＭ）を用いた閲覧確認サービス加入者か否かをチェックする（ステップＳ３１０）。
【００７９】
上記ステップＳ３１０で、閲覧確認サービス加入者に未チェックされる場合は終了し、閲覧確認サービス加入者にチェックされる場合は閲覧確認メッセージを受信したか否かをチェックする（ステップＳ３１５）。前述した閲覧確認メッセージは受信側の携帯電話に正常にＳＭＳメッセージが受信されたという情報だけでなく、該当ＳＭＳメッセージが受信側の携帯電話のユーザにより閲覧されたという情報を含む。
【００８０】
次に、閲覧確認メッセージを携帯電話内のメール受信箱に保存する（ステップＳ３２０）。
次に、バーチャルマシン（ＶＭ）を実行する（ステップＳ３２５）。
【００８１】
次に、ＶＭを通じて携帯電話内のメール送信箱と携帯電話内のメール受信箱とを比較する（ステップＳ３３０）。
【００８２】
次に、一致するＳＭＳメッセージが存在するか否かをチェックして（ステップＳ３３５）、一致するＳＭＳメッセージが存在しないことにチェックされる場合、ステップＳ３１５にフィードバックする。
【００８３】
ステップＳ３３５で、一致するＳＭＳメッセージが存在することにチェックされる場合、メール受信箱に保存された一致するＳＭＳメッセージを削除する（ステップＳ３４０）。前述したＳＭＳメッセージを削除するステップは自動でなされることもでき、ユーザの操作によりなされることもできる。
【００８４】
次に、上記携帯電話内のメール送信箱に保存された一致するＳＭＳメッセージを文字確認、即ち閲覧確認に表示する（ステップＳ３４５）。図７では文字を削除するステップに続いて閲覧確認を表示するステップが遂行されることが説明されたが、閲覧確認を表示するステップに続いて文字を削除するステップが遂行されることもできる。
【００８５】
次に、ユーザにより閲覧確認メッセージが選択されたか否かをチェックして（ステップＳ３３５）、未選択にチェックされる場合はステップＳ３４５にフィードバックし、選択にチェックされる場合は該当メッセージに対応する詳細メッセージを表示する（ステップＳ３５０）。
【００８６】
図７では、ステップＳ３１５で閲覧確認メッセージの受信にチェックされる場合、閲覧確認メッセージを携帯電話内のメール受信箱に保存するステップＳ３２０が遂行されたが、これに加えて、上記閲覧確認メッセージがユーザ側で直ちに確認できるように携帯電話のディスプレイ部に表示されることもできる。この際、表示される閲覧確認メッセージは受信側の携帯電話の電話番号及び閲覧時間を含む簡略情報であることもあり、これに加えて送信したＳＭＳメッセージの内容が更に含まれるフル情報であることもある。
【００８７】
図９は、本発明の第４実施形態に係るＳＭＳメッセージ閲覧確認方法を説明するフローチャートである。図１０は、図９に図示されたＳＭＳメッセージ閲覧確認サービスに対応するユーザ画面を説明するイメージである。図１０の破線で表示されたブロックは、ＶＭの受信確認箱を称する。前述したＶＭの受信確認箱はユーザ側に表示されない。
【００８８】
図９及び図１０を参照すれば、先にユーザの送信側の携帯電話を通じて作成されたＳＭＳメッセージを移動通信網を経由して受信側の携帯電話に発送する（ステップＳ４００）。
【００８９】
次に、発送されたＳＭＳメッセージを上記送信側の携帯電話に備えられる携帯電話内のメール送信箱に保存する（ステップＳ４０５）。
【００９０】
次に、バーチャルマシン（ＶＭ）を用いた閲覧確認サービス加入者か否かをチェックする（ステップＳ４１０）。
【００９１】
上記ステップＳ１１０で、閲覧確認サービス加入者に未チェックされる場合は終了し、閲覧確認サービス加入者にチェックされる場合は閲覧確認メッセージを受信したか否かをチェックする（ステップＳ４１５）。前述した閲覧確認メッセージは、移動通信網のＳＭＳサービスを管掌するＳＭＳＣサーバから提供される情報である。前述した閲覧確認メッセージは、受信側の携帯電話に正常にＳＭＳメッセージが受信されたという情報だけでなく、該当ＳＭＳメッセージが受信側の携帯電話のユーザにより閲覧されたという情報を含む。
【００９２】
次に、バーチャルマシン（ＶＭ）を実行する（ステップＳ４２０）。
【００９３】
次に、閲覧確認メッセージをＶＭ内の受信確認箱に保存する（ステップＳ４２５）。
【００９４】
次に、ＶＭを通じて携帯電話内のメール送信箱とＶＭ内の受信確認箱とを比較する（ステップＳ４３０）。
【００９５】
次に、一致するＳＭＳメッセージが存在するか否かチェックして（ステップＳ４３５）、一致するＳＭＳメッセージが存在しないことにチェックされる場合は終了する。
【００９６】
ステップＳ４３５で、一致するＳＭＳメッセージが存在することにチェックされる場合、ＶＭ内の受信確認箱で一致する文字を削除する（ステップＳ４４０）。
【００９７】
次に、上記携帯電話内のメール送信箱に保存された一致するＳＭＳメッセージを文字確認、即ち閲覧確認に表示する（ステップＳ４４５）。図９ではＶＭ内の受信確認箱で文字を削除するステップに続いて閲覧確認を表示するステップが遂行されることが説明されたが、閲覧確認を表示するステップに続いてＶＭ内の受信確認箱で文字を削除するステップが遂行されることもできる。
【００９８】
次に、ユーザにより閲覧確認メッセージが選択されたか否かをチェックして（ステップＳ４５０）、未選択にチェックされる場合はステップＳ４４５にフィードバックし、選択にチェックされる場合は該当メッセージに対応する詳細メッセージを表示する（ステップＳ４５０）。
【００９９】
図９では、ステップＳ４１５で閲覧確認メッセージの受信にチェックされる場合、バーチャルマシン（ＶＭ）を実行するステップＳ４２０が遂行されたが、これに加えて、上記閲覧確認メッセージがユーザ側で直ちに確認できるように携帯電話のディスプレイ部に表示されることもできる。この際、表示される閲覧確認メッセージは受信側の携帯電話の電話番号及び閲覧時間を含む簡略情報であることもあり、これに加えて送信したＳＭＳメッセージの内容が更に含まれるフル情報であることもある。
【０１００】
図１１は、本発明の第５実施形態に係るＳＭＳメッセージ閲覧確認方法を説明するフローチャートである。図１２は、図１１に図示されたＳＭＳメッセージ閲覧確認サービスに対応するユーザ画面を説明するイメージである。図１２の破線で表示されたブロックはＶＭの受信確認箱を称する。前述したＶＭの受信確認箱はユーザ側に表示されない。
【０１０１】
図１１及び図１２を参照すれば、先にユーザの送信側の携帯電話を通じて作成されたＳＭＳメッセージを移動通信網を経由して受信側の携帯電話に発送する（ステップＳ５００）。
【０１０２】
次に、発送されたＳＭＳメッセージを上記送信側の携帯電話に備えられる携帯電話内のメール送信箱に保存する（ステップＳ５０５）。
【０１０３】
次に、バーチャルマシン（ＶＭ）を用いた閲覧確認サービス加入者か否かをチェックする（ステップＳ５１０）。
【０１０４】
上記ステップＳ５１０で、閲覧確認サービス加入者に未チェックされる場合は終了し、閲覧確認サービス加入者にチェックされる場合は閲覧確認メッセージを受信したか否かをチェックする（ステップＳ５１５）。前述した閲覧確認メッセージは、受信側の携帯電話に正常にＳＭＳメッセージが受信されたという情報だけでなく、該当ＳＭＳメッセージが受信側の携帯電話のユーザにより閲覧されたという情報を含む。
【０１０５】
次に、バーチャルマシン（ＶＭ）を実行する（ステップＳ５２０）。
【０１０６】
次に、閲覧確認メッセージをＶＭ内の受信確認箱に保存する（ステップＳ５２５）。
【０１０７】
次に、ＶＭの受信確認箱に該当メッセージの詳細メッセージ情報を表示する（ステップＳ５３０）。
【０１０８】
図１１では、ステップＳ５１５で閲覧確認メッセージの受信にチェックされる場合、バーチャルマシン（ＶＭ）を実行するステップＳ５２０が遂行されたが、これに加えて、上記閲覧確認メッセージがユーザ側で直ちに確認できるように携帯電話のディスプレイ部に表示されることもできる。この際、表示される閲覧確認メッセージは、受信側の携帯電話の電話番号及び閲覧時間を含む簡略情報であることもあり、これに加えて送信したＳＭＳメッセージの内容が更に含まれるフル情報であることもある。
【０１０９】
図１３は、本発明の第６実施形態に係るＳＭＳメッセージ閲覧確認方法を説明するフローチャートである。図１４は、図１３に図示されたＳＭＳメッセージ閲覧確認サービスに対応するユーザ画面を説明するイメージである。図１４の破線で表示されたブロックは、ＶＭの受信確認箱を称する。前述したＶＭの受信確認箱はユーザ側に表示されない。
【０１１０】
図１３及び図１４を参照すれば、先にユーザの送信側の携帯電話を通じて作成されたＳＭＳメッセージを移動通信網を経由して受信側の携帯電話に発送する（ステップＳ６００）。
【０１１１】
次に、発送されたＳＭＳメッセージを上記送信側の携帯電話に備えられる携帯電話内のメール送信箱に保存する（ステップＳ６０５）。
【０１１２】
次に、バーチャルマシン（ＶＭ）を用いた閲覧確認サービス加入者か否かをチェックする（ステップＳ６１０）。
【０１１３】
上記ステップＳ６１０で、閲覧確認サービス加入者に未チェックされる場合は終了し、閲覧確認サービス加入者にチェックされる場合は閲覧確認メッセージを受信したか否かをチェックする（ステップＳ６１５）。前述した閲覧確認メッセージは受信側の携帯電話に正常にＳＭＳメッセージが受信されたという情報だけでなく、該当ＳＭＳメッセージが受信側の携帯電話のユーザにより閲覧されたという情報を含む。
【０１１４】
次に、閲覧確認メッセージを受信したか否かを確認する文字を携帯電話内のメール受信箱に保存し、これを表示する（ステップＳ６２０）。この際、表示される閲覧確認メッセージは、受信側の携帯電話の電話番号及び閲覧時間を含む簡略情報であることもあり、これに加えて送信したＳＭＳメッセージの内容が更に含まれるフル情報であることもある。
【０１１５】
次に、ユーザにより受信したか否かの確認メッセージが選択されたか否かをチェックし（ステップＳ６２５）、未選択にチェックされる場合は終了する。
【０１１６】
ステップＳ６２５で、ユーザにより受信したか否かの確認メッセージが選択されたことにチェックされる場合、バーチャルマシン（ＶＭ）を実行する（ステップＳ６３０）。
【０１１７】
次に、閲覧確認メッセージをＶＭ内の受信確認箱に保存する（ステップＳ６３５）。
【０１１８】
次に、ＶＭを通じて携帯電話内のメール送信箱とＶＭ内の受信確認箱とを比較する（ステップＳ６４０）。
【０１１９】
次に、一致するＳＭＳメッセージが存在するか否かをチェックして（ステップＳ６４５）、一致するＳＭＳメッセージが存在しないことにチェックされる場合は終了する。
【０１２０】
ステップＳ６４５で、一致するＳＭＳメッセージが存在することにチェックされる場合、ＶＭ内の受信確認箱で一致する文字を削除する（ステップＳ６５０）。
【０１２１】
次に、上記携帯電話内のメール送信箱に保存された一致するＳＭＳメッセージを文字確認、即ち閲覧確認に表示する（ステップＳ６５５）。図１３では、ＶＭ内の受信確認箱で文字を削除するステップに続いて閲覧確認を表示するステップが遂行されることが説明されたが、閲覧確認を表示するステップに続いてＶＭ内の受信確認箱で文字を削除するステップが遂行されることもできる。
【０１２２】
次に、ユーザにより閲覧確認メッセージが選択されたか否かをチェックして（ステップＳ６６０）、未選択にチェックされる場合はステップＳ６５５にフィードバックし、選択にチェックされる場合は該当メッセージに対応する詳細メッセージを表示する（ステップＳ６６５）。
【０１２３】
図１５は、本発明の第７実施形態に係るＳＭＳメッセージ閲覧確認方法を説明するフローチャートである。図１６は、図１５に図示されたＳＭＳメッセージ閲覧確認サービスに対応するユーザ画面を説明するイメージである。図１６の破線で表示されたブロックは、ＶＭの受信確認箱を称する。前述したＶＭの受信確認箱はユーザ側に表示されない。
【０１２４】
図１５及び図１６を参照すれば、先にユーザの送信側の携帯電話を通じて作成されたＳＭＳメッセージを移動通信網を経由して受信側の携帯電話に発送する（ステップＳ７００）。
【０１２５】
次に、発送されたＳＭＳメッセージを上記送信側の携帯電話に備えられる携帯電話内のメール送信箱に保存する（ステップＳ７０５）。
【０１２６】
次に、バーチャルマシン（ＶＭ）を用いた閲覧確認サービス加入者か否かをチェックする（ステップＳ７１０）。
【０１２７】
上記ステップＳ７１０で、閲覧確認サービス加入者に未チェックされる場合は終了し、閲覧確認サービス加入者にチェックされる場合は閲覧確認メッセージを受信したか否かをチェックする（ステップＳ７１５）。前述した閲覧確認メッセージは受信側の携帯電話に正常にＳＭＳメッセージが受信されたという情報だけでなく、該当ＳＭＳメッセージが受信側の携帯電話のユーザにより閲覧されたという情報を含む。
【０１２８】
次に、閲覧確認メッセージを受信したか否かを確認する文字を携帯電話内のメール受信箱に保存し、これを表示する（ステップＳ７２０）。この際、表示される閲覧確認メッセージは受信側の携帯電話の電話番号及び閲覧時間を含む簡略情報であることもあり、これに加えて送信したＳＭＳメッセージの内容が更に含まれるフル情報であることもある。
【０１２９】
次に、閲覧確認メッセージをＶＭの受信確認箱に保存する（ステップＳ７２５）。
【０１３０】
次に、ＶＭを通じて携帯電話内のメール送信箱とＶＭ内の受信確認箱とを比較する（ステップＳ７３０）。
【０１３１】
次に、一致するＳＭＳメッセージが存在するか否かをチェックして（ステップＳ７３５）、一致するＳＭＳメッセージが存在しないことにチェックされる場合は終了する。
【０１３２】
ステップＳ７３５で、一致するＳＭＳメッセージが存在することにチェックされる場合、携帯電話内のメール受信箱で一致する文字を削除する（ステップＳ７４０）。
【０１３３】
次に、受信したか否かを確認のためのプログラムがユーザにより選択されたか否かをチェックし（ステップＳ７４５）、未選択にチェックされる場合は終了する。
【０１３４】
ステップＳ７４５で、受信したか否かの確認のためのプログラムの選択にチェックされる場合、ＶＭの受信確認箱に保存された文字のリストを表示する（ステップＳ７５０）。
【０１３５】
次に、特定のメッセージが選択されたか否かをチェックして（ステップＳ７５５）、特定のメッセージが選択されていないことにチェックされる場合は終了する。
【０１３６】
ステップＳ７５５で、特定のメッセージが選択されたことにチェックされる場合、該当メッセージに対応する詳細メッセージを表示する（ステップＳ７６０）。
【０１３７】
以上では、実施形態を参照して説明したが、該当技術分野の熟練した当業者は下記の特許請求範囲に記載された本発明の思想及び領域から外れない範囲内で本発明を多様に修正及び変更させることができることを理解することができる。
【符号の説明】
【０１３８】
１００  送信側端末装置
２００  移動通信網
３００  受信側端末装置
【図１】
2010531006.tif 000004
【図２】
2010531006.tif 000005
【図３】
2010531006.tif 000006
【図４】
2010531006.tif 000007
【図５】
2010531006.tif 000008
【図６】
2010531006.tif 000009
【図７】
2010531006.tif 000010
【図８】
2010531006.tif 000011
【図９】
2010531006.tif 000012
【図１０】
2010531006.tif 000013
【図１１】
2010531006.tif 000014
【図１２】
2010531006.tif 000015
【図１３】
2010531006.tif 000016
【図１４】
2010531006.tif 000017
【図１５】
2010531006.tif 000018
【図１６】
2010531006.tif 000019
【国際調査報告】
2010531006.tif 000020
2010531006.tif 000021